(57)【特許請求の範囲】
【請求項１】
側壁の両側縁を接着させて筒状の箱本体を形成するに際し、
前記箱本体を構成する任意の側壁の上縁部に沿って、第一の折れ線を介して蓋フラップが延設されるとともに、
前記側壁および蓋フラップの中心部に、前記側壁の下端縁から蓋フラップの先端部に至る鉛直な折れ線が形成され、
前記第一の折れ線の各端部から前記鉛直な折れ線に向かって、側壁側および蓋フラップ側にそれぞれＶ字状の第二の折れ線、第三の折れ線を形成することによって、前記第一の折れ線を挟んで側壁側および蓋フラップ側との間に亘って形成された前記第二の折れ線と前記第三の折れ線からなる四角形状の領域を備え、
前記領域内の前記鉛直な折れ線を含む第一ないし第三の折れ線の折れ方向を変化させることによって、蓋フラップの形態を変化させるよう構成されていること
を特徴とする包装用箱。
【請求項２】
前記第一の折れ線は、
床面に対して水平に形成されていること
を特徴とする請求項１に記載の包装用箱。
【請求項３】
前記第一の折れ線は、
前記蓋フラップ側に向かってきわめて低い山型であること
を特徴とする請求項１に記載の包装用箱。
【請求項４】
前記Ｖ字状の第二の折れ線は、
全体が直線もしくは緩やかな円弧で形成されていること
を特徴とする請求項１に記載の包装用箱。
【請求項５】
前記Ｖ字状の第三の折れ線は、
全体が直線もしくは緩やかな円弧で形成されていること
を特徴とする請求項１に記載の包装用箱。
【請求項６】
前記Ｖ字状の第二の折れ線、第三の折れ線は、
前記鉛直な折れ線と交わる頂点同士が、上下方向において対称位置もしくは非対称位置にあること
を特徴とする請求項１に記載の包装用箱。
【発明の詳細な説明】
【技術分野】
【０００１】
この発明は、ファストフード店などで商品を包装するために使用する包装用箱、特に、ディスプレー性に優れた包装用箱に関するものである。
【背景技術】
【０００２】
鳥唐揚げやスティック状のポテトフライなどのファストフードの販売に際し、近年、前記ファストフードを収容した状態でのディスプレーを可能とすることも考慮し、搬送や保管時には扁平な状態とし、使用時には自立させることができる紙製の包装用箱が多く使用されるようになっている。
【０００３】
かかる包装用箱において、容器の上部開口部を簡単に施蓋させて、内容物の飛び出しを防止し、かつ内容物の取り出しも容易に行うことができるシート製容器が、特開平１０−１６９３８号公報（特許文献１）に開示されている。
【０００４】
前記特許文献１に開示されたシート製容器は、同文献の図４および図８で明らかなように、
１）シート状の基材を縦方向に二つ折りし、この二つ折れ部が接続する前後一対の主体を形成し、これら前後主体のそれぞれの底辺部と側辺部とを接合して、前記一対の前後主体が略同形となる袋状とし、その上部を開口させたシート製容器において、
２）前記前後主体は、その側部において、二つ折り辺側が長く、接合側辺側が短くなって、前記開口が斜辺に形成される前後延設体と、
３）この前後延設体において、前記二つ折り辺から開口斜辺へ向かって形成される第一折れ目線と、
４）前後延設体において、該第一折れ目線より外側に設けて、前記二つ折り辺から開口斜辺へ向かって形成される第二折れ目線を備えたこと
を特徴としている。
【０００５】
かかる構成のシート製容器は、シート状の基材によって、内容物を収容する主体と一体的に蓋となる部材が一連に形成され、使用にあっては、ワンタッチ操作で比較的腰のある（開きにくい）開口の施蓋がなされるので、別部材の蓋を用意することがなく、簡便に蓋をして、内容物の露出を妨げることができると共に、容器が傾いたり振動したり、あるいは、落としたりしても内容物が容器から飛び出ない作用効果を奏するとされている。
【０００６】
しかしながら、このシート状容器は、きわめて扁平なものであるので、多くのファストフードを収容するには、シート状容器の大きさを大きくせざるを得ず、かつ自立性を有していない点で解決すべき課題がある。
【０００７】
一方、ファストフードを収容する自立性を有する容器が、例えば、特開平１１−０９１７６０号公報（特許文献２）で提案されている。
この特許文献２に記載の包装箱は、両側縁を接着させた筒状の側壁の外側に延設した、相対向する一組の底フラップの先端側同志を接着させ、底フラップの一方の中央線上に設けた谷折り線を利用して折り畳み、組み立てが行えるようにした包装箱において、組み立てた箱の底部に十分な強度を持たせることを目的としている。
【０００８】
そのため、特許文献２の包装箱は、
１）両側縁を接着させた筒状の側壁の外側に延設した、相対向する一組の底フラップの先端側同志を接着させ、底フラップの一方の中央線上に設けた谷折り線を利用して折畳、組立が行えるようにした包装箱において、
２）各底フラップの基端側の両辺に、山折線を介して舌片を延設し、
３）前記底フラップの間に位置させて、側壁の外側に細幅の折り返し片を設け、
４）底フラップを中央線で谷折させてフラップを立ち上げる際に、相対向する底フラップの左右の基端部同志を結ぶ線に沿って底フラップを屈曲させて、その両側を傾斜させると共に、底フラップの舌片を折り返し片と側壁との間に係合させる
構成が採用されている。
【先行技術文献】
【特許文献】
【０００９】
【特許文献１】特開平１０−１６９３８号公報（請求項１、図４、図８）
【特許文献２】特開平１１−０９１７６０号公報（請求項１、図１、図３、図５）
【発明の概要】
【発明が解決しようとする課題】
【００１０】
前記特許文献１の図４に示されるシート状容器は、同図３に示されるシート状容器の前後延設体の外側に、それぞれ抑え片を連続的に形成し、シート状容器の開口部をワンタッチで開閉できるようにした点で、蓋の開閉を容易にすることができる作用効果を奏するものとされている。
【００１１】
かかる特許文献１における前後の延設体は、基材の中心に縦方向に設けられた二つ折れ線の上部の一点から、左右の開口斜辺に向かってそれぞれ形成される第一の折れ線に沿って、蓋となる前後延設体の長辺側を外側に広げて短辺側へ折り曲げ、長辺側の二つ折れ部線の折れ目を内側へ折り返すと、この二つ折れ部線の折れぐせと相俟って、前記前後延設体には開口内側へ働く付勢力が生じて、開口を閉塞する蓋となり、この前後延設体に外力が与えられない限り開蓋されない、とされている。
したがって、蓋を確実に閉じるという作用効果を奏するものと認められる。
【００１２】
しかしながら、左右一対の前後の延設体からなる蓋は、二つ折れ線の折れ目を内側へ折り返すことによって形成されるため、前記左右一対の前後の延設体からなる蓋は、袋の内側に向かってのみ折り曲げることと、蓋を垂直に立ち上がらせることはできるが、前記二つ折れ線に沿って外方向には開蓋させることができない。
さらに、シート状容器自体が自立性を有しないので、ディスプレー用としての使用に適さないという大きな問題を内在している。
【００１３】
前記特許文献２の包装箱は、相対向する一組の底フラップの先端側同志を接着させ、側壁の先端部と糊代とを接着させ、箱の底面のフラップの組立接着するものである。
その際、側壁の下端部に連設した折り返し片を、側壁に形成された谷折り線と当接する部分を接着しない限り、折り返し片と側壁とで形成される隙間に緩みが生じるという問題点（特許文献２の段落００１１）を有している。
【００１４】
さらに、特許文献２の包装箱は、二つの底フラップのうち、中央に谷折り線を設けた底フラップは、組立て時に先端部が反転して他方の底フラップに隠れ、かつ相似形を有する二つの底フラップで、一つの箱の底面を形成するという、きわめて効率の悪い組立て作業と材料の無駄が避けられない。
【００１５】
この発明はかかる現状に鑑み、指一本での蓋の開閉が可能であることは当然とし、開いている蓋を一定の位置まで倒すと自動的に蓋が閉じ、開けた状態の蓋の角度を用途に応じて変えることが可能である、簡単な構成の包装用箱を提供することを目的とする。
【００１６】
さらに、この発明は、前記目的と同時に、部分的な接着によってワンタッチで底面を構成することができること、底板から延設されたフラップが底形成されるにしたがって、包装用箱を構成する側壁の内周面に押され、屈曲しながら底板と側壁との隙間を埋めることができること、かつ多様な形状の底面を創出することのできる包装用箱を提供せんとするものである。
【課題を解決するための手段】
【００１７】
前記目的を達成するため、この発明の包装用箱は、
側壁の両側縁を接着させて筒状の箱本体を形成するに際し、
前記箱本体を構成する任意の側壁の上縁部に沿って、第一の折れ線を介して蓋フラップが延設されるとともに、
前記側壁および蓋フラップの中心部に、前記側壁の下端縁から蓋フラップの先端部に至る鉛直な折れ線が形成され、
前記第一の折れ線の各端部から前記鉛直な折れ線に向かって、側壁側および蓋フラップ側にそれぞれＶ字状の第二の折れ線、第三の折れ線を形成することによって、前記第一の折れ線を挟んで側壁側および蓋フラップ側との間に亘って形成された前記第二の折れ線と前記第三の折れ線からなる四角形状の領域を備え、
前記領域内の前記鉛直な折れ線を含む第一ないし第三の折れ線の折れ方向を変化させることによって、蓋フラップの形態を変化させるよう構成されていること
を特徴とするものである。
【００１８】
この発明の請求項２に記載の発明は、
請求項１に記載の包装用箱において、
前記第一の折れ線は、
床面に対して水平に形成されていること
を特徴とするものである。
【００１９】
この発明の請求項３に記載の発明は、
請求項１に記載の包装用箱において、
前記第一の折れ線は、
前記蓋フラップ側に向かってきわめて低い山型であること
を特徴とするものである。
【００２０】
この発明の請求項４に記載の発明は、
請求項１に記載の包装用箱において、
前記Ｖ字状の第二の折れ線は、
全体が直線もしくは緩やかな円弧で形成されていること
を特徴とするものである。
【００２１】
この発明の請求項５に記載の発明は、
請求項１に記載の包装用箱において、
前記Ｖ字状の第三の折れ線は、
全体が直線もしくは緩やかな円弧で形成されていること
を特徴とするものである。
【００２２】
この発明の請求項６に記載の発明は、
請求項１に記載の包装用箱において、
前記Ｖ字状の第二の折れ線、第三の折れ線は、
前記鉛直な折れ線と交わる頂点同士が、上下方向において対称位置もしくは非対称位置
にあること
を特徴とするものである。
【発明の効果】
【００２３】
この発明の包装用箱は、箱本体の側壁の上縁部に沿って第一の折れ線を介して蓋フラップを延設するに際し、側壁と蓋フラップの中心部に上端部から下端部に至る鉛直な折れ線を形成するとともに、前記鉛直な折れ線上の所要部位を頂部として、側壁側および蓋フラップ側にそれぞれＶ字状の第二の折れ線、第三の折れ線を形成し、前記蓋フラップと側壁との間に亘る四角形状の領域を構成したので、この領域内の各折れ線を山折もしくは谷折りに変化させることによって、蓋フラップを指一本で、閉蓋状態から開蓋状態まで自動的に移動させ、かつその位置に保持させることができる。
【００２４】
特に、この発明においては、前記蓋フラップは、側壁に対して鉛直状態に、あるいは斜め後方もしくはほぼ水平状態に、さらには側壁と当接する状態に移行させることができるので、ファストフードを収容した状態もしくは空の状態で、最適なディスプレー用として利用することができる。
【００２５】
さらに、この発明は、箱本体を構成する側壁と、この側壁に沿って延設される蓋フラップに、折れ線を利用して四角形状の領域を形成するというきわめて簡単な手段によって、展示に最適なディスプレーが可能な包装用箱を提供することができる。
【００２６】
さらにまた、かかる蓋フラップを有する包装用箱は、両側縁を接着させて形成する筒状の箱本体の任意の側壁下縁部に、折れ線を介して得ようとする包装用箱の形状に対応する底フラップを延設し、前記底フラップと接着結合する底フラップ保持片を、前記側壁又は他の側壁の下縁部に折れ線を介して延設するとともに、その先端部に折れ線を介して接着部が形成される貼着片を延設し、この接着部を前記底フラップの先端部表面の貼着面に接着固定して底部を形成するという簡易な構成によって、任意の形状の包装用箱を得ることができる。
【００２７】
その結果、前記底フラップの形状を、三角形、多角形、台形などにすることができるので、得ようとする包装用箱の形状を多様化させることが可能で、デザイン化された新規な包装用箱を得ることが可能となる。
【００２８】
さらに、前記底フラップと底フラップ保持片との接合接着は、あらかじめその位置が確定されるので、作業効率を大幅に向上させることができ、接合接着の部位が小さくとも確実に両者を接着させるので、包装用箱作成のための経費を抑え、箱本体の組立て作業を簡易化させ、作業能率を向上させることが可能となる。
【図面の簡単な説明】
【００２９】
【図１】この発明にかかる包装用箱の一例を示すもので、蓋を閉じた状態を表す正面    側からの斜視図である。
【図２】図１に示す包装用箱の展開図である。
【図３】図１に示す包装用箱の折り畳まれた状態を示す説明図である。
【図４】図１に示す包装用箱の蓋を開いた状態の一例を示す斜視図である。
【図５】図１に示す包装用箱の背面側からの斜視図である。
【図６】図１に示す包装用箱の他の開蓋状態を示す斜視図である。
【図７】図１に示す包装用箱のさらに他の開蓋状態を示す斜視図である。
【図８】この発明にかかる他の包装用箱の蓋フラップの要部の拡大図である。
【図９】図８に示す包装用箱の開蓋状態の一例を示す斜視図である。
【発明を実施するための形態】
【００３０】
以下、この発明にかかる包装用箱の実施の形態について、添付の図面に基づいて具体的に説明する。
なお、この発明は、以下に説明する実施例にのみ限定されるものではなく、発明の要旨を変更しない範囲で種々改良を加えることができるものである。
【００３１】
この発明にかかる包装用箱１は、一枚のブランク板で構成され、左右に位置する側面の側縁同士を接着させて形成する全体形状が変形四角形な側壁Ｓと、この側壁Ｓの下部開口部を閉止する台形状の底部Ｂとで構成される箱本体１ａと、この箱本体１ａの上部開口部を閉止可能な蓋Ｌとから構成されている。
【００３２】
前記ブランク板は、厚紙や段ボール紙の他、樹脂製のシート材であっても、保形性を有するものであれば特段の制限なく使用することができ、取扱いの容易性や保管性など実用面からは、その厚みは１ｍｍ以下であることが好ましい。
さらに、紙製のブランク板を使用する場合には、特に、水分や油分が外側に漏れないよう内面がコーティング加工されたものを使用することが好ましい。
【００３３】
前記箱本体１ａは、図２で明らかなように、上縁部が弧状に切り欠かれ、かつその中心部に下縁部から上縁部に至る鉛直な折れ線ａが形成された逆台形状の正面板２と、この正面板２の一方の側縁に沿って折れ線ｂを介して連続的に設けられ、その中心部に下縁部から上縁部に至る鉛直な折れ線ｃが形成された全体が変形五角形状の背面板３と、前記正面板２の他方の側縁に沿って折れ線ｄを介して延設された糊代片４とで箱本体１ａの側壁が構成されるものである。
【００３４】
なお、前記鉛直な折れ線ｃは、前記変形五角形状の背面板３の直線状の上縁部に沿って第一の折れ線ｅを介して延設された蓋フラップ７の中央部に延長され、前記蓋フラップ７を中央部において谷折れ又は山折れを可能にしている。
【００３５】
前記箱本体１ａの底部Ｂは、前記背面板３の中心部に形成された鉛直な折れ線ｃを介して対称的に配された一方の側面板３ａの下縁部に延出された底フラップ５と、他方の側面板３ｂの下縁部に延出された底フラップ保持片６とで構成される。
【００３６】
前記底フラップ５は折れ線ｆを介して、前記底フラップ保持片６は折れ線ｇを介して、いずれも側壁Ｓの下端部に延出形成されるもので、この折れ線ｆ，ｇは、箱本体１ａの下縁部から嵩上げしたい高さ分だけ上方に形成される。
【００３７】
より具体的には、前記底フラップ５は、前記折れ線ｂと折れ線ｆの交点ｖから折れ線ｆに対して９０度以内の傾斜角θで一方の側縁５ａが、他方の側縁５ｂは前記側縁５ａと並行状態を保持しながら延設される。
【００３８】
この実施例においては、前記各側縁５ａ，５ｂは、内側に頂部を有する２つの円弧から形成されているもので、この円弧状の側縁５ａ，５ｂの外側には、それぞれ外周部を円弧状とした舌片５ｃ，５ｄが一体的に延設されている。
なお、この実施例では、前記側縁５ａ，５ｂを円弧状としているが、直線状でもよいものである。
【００３９】
この舌片５ｃ，５ｄは、包装用箱１を組立てた場合、舌片５ｃの外側が正面板２の折れ線ａの下方の内側面と、舌片５ｄの外側が背面板３の折れ線ｃの下方の内側面とそれぞれ当接し、底面を密封するものである。
そのため、各舌片５ｃ，５ｄは、いずれも中心部に前記側縁５ａ，５ｂとほぼ直交する状態で折れ線ｈが形成され、この折れ線ｈを山折りすることで前記目的が達成されるよう構成されている。
【００４０】
前記底フラップ保持片６は、折れ線ｉを介して延出する小さな貼着片６ａを有し、この貼着片６ａが、前記底フラップ５の先端側の表面の貼着面５ｅと当接可能なように形成されたものである。
【００４１】
さらに、前記背面板３には、前記底フラップ５の側縁５ｂの始端と、底フラップ保持片６の内側の始端をそれぞれ始点として左右対称となるように、それぞれ所要長さの折れ線ｊが斜め上方に向かって形成され、舌片５ｄが円滑に背面板３の下部内側面と当接するよう構成されている。
【００４２】
なお、この発明においては、前記底部Ｂが、前記底フラップ５と、貼着片を有する底フラップ保持片６とで構成されていれば、添付の図面に示される実施例に限定されるものではないこと当然である。
【００４３】
かかる構成からなる包装用箱１は、まず、折れ線ｆに沿って底フラップ５を内側（背面板３の内側面側）に折り曲げたのち、折れ線ｇに沿って底フラップ保持片６も同様に内側に折り曲げ、その貼着片６ａの表面部に接着剤もしくは両面接着テープなどを使用して接着部６ｂを形成し、この接着部６ｂを前記底フラップ５の表面側の貼着面５ｅに貼着固定する。
【００４４】
その際、折れ線ｉを介して底フラップ保持片６から延設された貼着片６ａは、前記底フラップ保持片６と直線状を維持している。
同時に、背面板３の折れ線ｆとｇは、同一平面上に位置している。
【００４５】
なお、この実施例では、図１に示すように、前記貼着片６ａは、折れ線ｉに沿って山折してその表面を接着部６ｂとし、底フラップ５の表面側の貼着面５ｅに貼着固定させているが、折れ線ｉに沿って谷折し、その裏面を接着部６ｂとし、底フラップ５の表面側の、折れ線ｆｂ近傍の貼着面５ｆに貼着固定させてもよい。
【００４６】
しかるのち、前記糊代片４の内側面の全体に接着剤もしくは両面接着テープを貼着し、当該貼着面を背面板３の端縁部の表面に貼着固定して、図３に示すような、折り畳んだ状態の包装用箱１を形成する。
【００４７】
なお、折り畳んだ状態の包装用箱１を形成するには、あらかじめ前記底フラップ５に延設された舌片５ｃ，５ｄを、それぞれ側縁５ａ，５ｂ（事実上の折れ線）に沿って内側（底フラップ５の裏面側）に、かつ折れ線ｈに沿って同様に内側に折り曲げてあらかじめ折れ癖を付けることが望ましい。
【００４８】
図３に示す折り畳んだ状態の包装用箱１を組み立てるには、正面板２の鉛直な折れ線ａと背面板３の鉛直な折れ線ｃを一方の手で押さえ、内側方向に力を加えながら開口部を拡大させると、底フラップ保持片６が折れ線ｇに沿って下方側に展開するとともに、この底フラップ保持片６と貼着一体化されている底フラップ５も折れ線ｆに沿って下方に移動し始める。
【００４９】
同時に、底フラップ５の各舌片５ｃおよび５ｄが、折れ線ｈの作用もあって、それぞれ前記折れ線ａ、折れ線ｃに沿って正面板２、背面板３の内周面と当接しながら上方に持ち上げられ、前記折れ線ａと折れ線ｈ、折れ線ｃと折れ線ｈが一致し、図１に示すような、底上げされ、かつ底部がほぼ密封された変形５角形状の包装用箱１を得ることができる。
【００５０】
一方、前記蓋フラップ７は、前記背面板３の床面に対して水平な上縁部に沿って形成された第一の折れ線ｅを介して、前記鉛直な折れ線ｃを挟んで相対する左右一対のフラップ片７ａ，７ｂを延設して構成されたものである。
【００５１】
この蓋フラップ７の最大の特徴は、図２で明らかなように、前記第一の折れ線ｅの両端部から、前記背面板３と蓋フラップ７の中心部に形成された鉛直な折れ線ｃに向かって、背面板３側に対してはＶ字状の第二の折れ線ｋを、蓋フラップ７側に対しては、折れ線ｃと交わる部位を頂部とするＶ字状の第三の折れ線ｌを、各頂部の位置（高さ）が、第一の折れ線ｅから対称となるように形成されていることである。
すなわち、前記鉛直な折れ線ｃと第一の折れ線ｅとの交点ｚから、第二の折れ線ｋと折れ線ｃの交点ｘ、および折れ線ｃと第三の折れ線ｌとの交点ｙまでの距離は同一である。
【００５２】
したがって、前記背面板３の上縁部と蓋フラップ７の基端部の間には、第一の折れ線ｅを挟んで上下方向に形成された第二の折れ線ｋと第三の折れ線ｌからなるほぼ菱形の領域Ａが形成され、この領域Ａ部の変化によって、好ましいディスプレーに対応した蓋フラップに変形されるよう構成されている。
【００５３】
なお、この実施例においては、前記鉛直な折れ線ｃと第一の折れ線ｅとの交点ｚから、第二の折れ線ｋと折れ線ｃの交点ｘ、および折れ線ｃと第三の折れ線ｌとの交点ｙまでの距離は同一としているが、この距離は必ずしも同一である必要はない。
【００５４】
例えば、交点ｙを蓋フラップ７の先端側及び／又は交点ｘを背面板３の下端側に移動させると、蓋フラップ７は半開きで自動的に停止する。
さらに、交点ｙ及び／又は交点ｘを第一の折れ線ｅ側に移動させると、蓋フラップ７の閉鎖を保持する作用が弱まり、内容物を優しいタッチで覆うことが可能となる。
【００５５】
さらにまた、交点ｚと交点ｙの距離が長く、交点ｚと交点ｘとの距離が前記長さに比して短くした非対称の場合、あるいはその反対であっても、それぞれの交点の位置関係によって蓋フラップ７の閉鎖状態の強弱や角度をコントロールし、ディスプレーに最適な包装用箱を得ることができる。
【００５６】
さらに、この実施例では、第三の折れ線ｌは、全体が緩やかな円弧によってＶ字状を形成させているが、直線でＶ字状を形成させてもよい。
同様に、第二の折れ線ｋは、直線によってＶ字状を形成させているが、全体が緩やかな円弧によってＶ字状を形成させてもよい。
すなわち、この発明においては、第一の折れ線を含んで側壁側と蓋フラップに亘って菱形の領域を形成するに際し、第二および第三のＶ字状の折れ線は、いずれもが直線もしくは円弧で、いずれか一方が直線、他方が円弧であってもよいものである。
【００５７】
その際、前記蓋フラップ７を構成する左右対称なフラップ片７ａ，７ｂは、蓋フラップ７を閉じる場合には鉛直な折れ線ｃに沿って山折され、背面方向に移行させる場合には鉛直な折れ線ｃに沿って谷折りされるが、Ｖ字状を形成する前記第三の折れ線ｌを全体が緩やかな円弧とすることで、蓋フラップ７の内面が箱本体１ａの開口部８に当接し、綺麗に閉じさせることができる。
【００５８】
一方、Ｖ字状を形成する第二の折れ線ｋを直線で形成した場合、背面板３の中央部、すなわち、折れ線ｃに沿った部位は鋭角状となり、蓋フラップ３をしっかりと所望の位置に保持させることができる。
また、Ｖ字状を全体が緩やかな円弧とすると、前記中央部が鋭角状でなく湾曲し、箱本体１ａの背面板３が膨らみを有し、前記とは別異の趣を与えることができる。
【００５９】
前記手順で包装用箱１を組み立てた状態では、前記蓋フラップ７は、図４に示すように山折れされた折れ線ｃに沿って直立し、開口部８に対して全開の状態にあるので、この状態で唐揚げなどのファストフードを箱本体１ａ内に収容する。
この状態で、顧客に包装用箱１を手渡してもよく、ディスプレーとして陳列に供することもできる。
【００６０】
ついで、前記蓋フラップ７の先端部に指を添え、図４に示す矢印Ｗ１方向に蓋フラップ７の先端部を押し下げると、蓋フラップ７は折れ線ｃと折れ線ｃの交点ｘが開口部８側に移動すると同時に、第二の折れ線ｋとｌとの間に位置する折れ線ｃが谷折れする。
【００６１】
さらに、折れ線ｃと第三の折れ線ｌの交点ｙとして、前記蓋フラップ７を構成する各フラップ片７ａ，７ｂが内側に折れ曲がり、かつ下方に移動し、前記蓋フラップ７の側縁部の内面が、前記正面板２の上縁部と接して、図１に示すように、蓋フラップ７が開口部８を閉止する。
【００６２】
なお、図５は、前記図１の蓋フラップ７が開口部８を閉止した状態を、背面側から見た状態を示すもので、第三の折れ線ｌと第二の折れ線ｋとの間に位置する折れ線ｃが谷折れ状態で、かつ蓋フラップ７を構成する一対のフラップ片７ａ，７ｂが折れ線ｃに沿って山折れしていることを示している。
すなわち、四角形状の領域Ａは、折れ線ｃを挟んで谷折りされ、全体が凹んだ状態となる。
【００６３】
しかして、閉じている蓋フラップ７を開くには、蓋フラップ７の先端部中心の裏面に指を当て、蓋フラップ７を上方に押し上げると、前記四角形状の領域Ａを形成する各折れ線の屈曲状態を保持しようとする作用に反して蓋フラップ７は、前記交点ｘを中心とし、凹んだ四角形状の領域Ａが一気に図４の状態に復帰し、蓋フラップ７は開蓋状態を保持するものである。
【００６４】
かくして開いた蓋フラップ７は、以下のようにして形態を変化させることができる。
その一例は、直立状態の蓋フラップ７（図４参照）の先端部を指でやや強く矢印Ｗ２方向に押圧すると、交点ｚを中心として第一の折れ線ｅに沿って蓋フラップ７が後方に折れ曲がる。
同時に、第三の折れ線ｌの作用によって、蓋フラップ７は、交点ｙを起点として左右のフラップ片７ａ，７ｂが折れ線ｃに沿って谷折れ状態となって、蓋フラップ７は、図示しないが、斜め後方に開蓋状態を保持する。（第１の形態）
【００６５】
その際、第１の形態状態は、箱本体１ａになんらかの力が加わると、前記第三の折れ線ｌの作用によって、蓋フラップ７は元の垂直の状態に戻ろうとする。
したがって、前記蓋フラップ７の先端部をさらに矢印Ｗ３方向（図６参照）に軽く下方に押し下げると、第三の折れ線ｌおよび折れ線ｃは、谷折れ状態から全体が山折れ状態と変化し、前記交点ｙを中心に折れ線ｃがヘの字状に変化し、図６に示すように、蓋フラップ７を、後方に一定の傾斜角をもって保持固定させることができる。（第２の形態）
よって、この状態で展示用ディスプレーに供することもでき、かつ収容物を取り出して食することもできる。
なお、前記第１の形態での使用は勿論可能である。
【００６６】
さらに、図７に示すように、後方に一定角度で保持されている蓋フラップ７の先端部に指を掛け、矢印Ｗ３方向に蓋フラップ７を下方に押し下げると、第一の折れ線ｅが、第２の折れ線ｋおよび第３の折れ線ｌの屈曲を保持しようとする作用に反発して、交点ｚを中心に外側に移動する。
【００６７】
同時に、前記蓋フラップ７は、蓋フラップ７の折れ線ｃと、箱本体１ａの折れ線ｃがほぼ一直線となるように自動的に垂下し、蓋フラップ７の表面と箱本体１ａの背面板３の中心部表面とを、ほぼ密着する状態で保持させることができる。（第３の形態）
【００６８】
よって、この状態で店舗側は、展示用ディスプレーに供することもでき、顧客側はこの状態で収容物を取り出して食することもできる。
さらに、この状態で、第一の折れ線ｅと折れ線ｃとの交点ｚ部に口を当て、箱本体１ａの底部を上方に持ち上げれば、収容されたファストフードを口内に流し込むことも可能となる。
その際、箱本体１ａの内面には、通常いかなる印刷も施されることがないので、収容されたファストフードが汚染されるおそれが全くない。
【００６９】
図８に示す蓋フラップ７１は、この発明にかかる他の包装用箱１０の実施例を示すものである。
すなわち、図２で示す蓋フラップ７は、背面板３に蓋フラップ７を延設するための第一の折れ線ｅが、床面に対して平行な直線で形成しているので、折れ線ｃとの交点ｚは、第一の折れ線ｅ上、すなわち、四角形状の領域Ａの中心にある。
【００７０】
これに対し、図８に示す第一の折れ線ｅと折れ線ｃとの交点ｚの位置を、同図から明らかなように、前記四角形状の領域Ａの中心部よりやや上方の折れ線ｃ上に移動させ、床面に対して水平な第一の折れ線ｅを、高さがきわめて低い山型に変化させ、前記領域Ａの中心点（折れ線ｅとｃとの交点ｚ）をやや上方に移行させたものである。
【００７１】
かかる構成の蓋フラップ７１は、基本的には、前記図１，４，６に示す形態と同じ形態とすることができるものである。
しかしながら、この蓋フラップ７１と箱本体１ａを構成する背面板３との繋ぎ目に当たる第一の折れ線ｅが、蓋フラップ７１側に高さの低い山型に形成されている。
よって、当該蓋フラップ７１の先端部に指先を押し付けて下方に押し下げたとき、四角形状の領域Ａの中心点、すなわち交点ｚがやや蓋フラップ７の先端側に移行している。
【００７２】
そのため、図７に示すように、蓋フラップ７は箱本体１ａの背面部の中心とはピッタリとは当接せず、蓋フラップ７１の先端部と、図９に示すように、箱本体１ａを構成する背面板３の表面との間にギャップＧが形成された状態で保持される。
したがって、ディスプレー用とした場合、図７と図９とでは、異なった趣のある商品展示を行うことができる。
【００７３】
この発明にかかる包装用箱１は、箱本体１ａを構成する任意の側壁３の上縁部に沿って蓋フラップ７を第一の折れ線ｅを介して延設するに際し、前記第一の折れ線ｅを挟んで側壁側にはＶ字状の第２の折れ線ｋを、蓋フラップ７側にもＶ字状の第三の折れ線ｌを形成して四角形状の領域Ａを構成し、この領域Ａの上下の交点ｘ，ｙを結ぶ直線状の折れ線ｃと前記各折れ線ｋ，ｌとからなる十文字に交差する折れ線の作用を利用し、包装用箱１の蓋Ｌを上方に鉛直に、後方側に少なくとも２段階に屈曲させ、その状態を維持させることができる。
【００７４】
したがって、筒状をなす包装用箱１の開口部８を閉止することは当然のこととし、後方に蓋Ｌを少なくとも２段階で折り曲げ、その状態を保持させることができるので、ディスプレー用としても最適な包装用箱を得ることができる。
【００７５】
さらに、この発明の包装用箱１は、箱本体１ａを構成する底部Ｂは、箱本体１ａを構成する側壁Ｓの下縁部の一部に、得ようとする箱の形状に対応可能な底フラップ５を、底上げ可能なように折れ線ｆを介して延設する一方、同じく箱本体１ａを構成する側壁の下縁部の一部に、前記底フラップ５の表面の所定部位と相対する接着部を有する折曲げ可能な貼着片６ａを延設した底フラップ保持片６を、折れ線ｇを介して一体的に設けることによって、未使用時には、折り畳んだ状態で保管でき、使用時には、相対して箱の側面部を形成する側面を箱の中心方向に押圧するという操作で、簡単かつ容易に立体的な包装用箱を構成することが可能なものである。
【産業上の利用可能性】
【００７６】
この発明にかかる包装用箱は、筒状に形成される箱本体の開口部を閉止する蓋を設けるに際し、当該開蓋した蓋を、後方に折り曲げ、かつその位置に保持固定するように構成されているので、ファストフードなどの商品を収容し、展示するに際し、収容した商品に応じた最良の蓋の位置を選択することができるので、あらゆる商品の包装用箱として利用することができるものである。
【符号の説明】
【００７７】
１          包装用箱
１ａ        箱本体
２          正面板
３          背面板
４          糊代片
５          底フラップ
５ａ，５ｂ  側縁
５ｃ，５ｄ  舌片
５ｅ，５ｆ  貼着片
６          底フラップ保持片
６ａ        貼着片
６ｂ        接着部
７          蓋フラップ
７ａ，７ｂ  フラップ片
８          開口部
ａ〜ｄ      折れ線
ｅ          第一の折れ線
ｋ          第二の折れ線
ｌ          第三の折れ線
ｆ〜ｊ      折れ線
Ｓ          箱本体の側壁
Ｂ          箱本体の底部
Ｌ          蓋
ｘ，ｙ，ｚ  交点
【図１】
0005979531.tif 000002
【図２】
0005979531.tif 000003
【図３】
0005979531.tif 000004
【図４】
0005979531.tif 000005
【図５】
0005979531.tif 000006
【図６】
0005979531.tif 000007
【図７】
0005979531.tif 000008
【図８】
0005979531.tif 000009
【図９】
0005979531.tif 000010